(57)【特許請求の範囲】
【請求項１】
照明光を出射する照明光源と、
前記照明光源からの照明光を情報コードに向けて照射する照明レンズと、
前記情報コードを撮像可能な受光センサと、
前記受光センサによる撮像範囲の中心を示すためのマーカ光を照射するマーカ光照射部と、
を備え、
前記照明レンズは、入射側に凹むように凹曲面状に形成される出射面が前記撮像範囲のうちの周辺部に前記照明光を照射可能な第１出射面部と前記撮像範囲のうち前記周辺部よりも内側であって前記撮像範囲の中心を含めた中央部に前記照明光を照射可能な第２出射面部とから構成され、
前記第２出射面部は、前記第１出射面部よりも曲率が大きくなるように形成されることを特徴とする光学的情報読取装置。
【請求項２】
前記出射面は、前記第２出射面部から前記第１出射面部にかけて曲率が徐々に小さくなるように形成されることを特徴とする請求項１に記載の光学的情報読取装置。
【請求項３】
照明光を出射する照明光源と、前記照明光源からの照明光を情報コードに向けて照射する照明レンズと、を有する照明光照射部と、
前記情報コードを撮像可能な受光センサと、
前記受光センサによる撮像範囲の中心を示すためのマーカ光を照射するマーカ光照射部と、
を備え、
前記照明レンズは、入射側に凹むように凹曲面状に形成される出射面が、前記撮像範囲のうちの周辺部に前記照明光を照射可能な第１出射面部と前記撮像範囲のうち前記周辺部よりも内側であって前記撮像範囲の中心を含めた中央部に前記照明光を照射可能な第２出射面部とから構成され、
前記照明光照射部は、前記出射面のうち前記第２出射面部の出射側にて前記照明光を遮光可能な遮光部を備えることを特徴とする光学的情報読取装置。
【請求項４】
前記マーカ光照射部は、光源がＬＥＤとして構成され、
前記マーカ光は、前記撮像範囲の中心に対して十字形状となるように照射されることを特徴とする請求項１〜３のいずれか一項に記載の光学的情報読取装置。
【発明の詳細な説明】
【技術分野】
【０００１】
本発明は、情報コード等を光学的に読み取る光学的情報読取装置に関するものである。
【背景技術】
【０００２】
従来、情報コード等を光学的に読み取る光学的情報読取装置として、例えば、下記特許文献１に開示される二次元コード読取装置が知られている。この二次元コード読取装置では、２つの光学マーカにてそれぞれ十字型の光学マーカー像が照射された際の被読み取り面での両光学マーカー像の位置関係によって、その被読み取り面が読み取りに関して適正位置にあるか否かを容易に把握できるように構成されている。
【先行技術文献】
【特許文献】
【０００３】
【特許文献１】特開２０００−０２９９７９号公報
【発明の概要】
【発明が解決しようとする課題】
【０００４】
ところで、二次元コードを読み取り可能な光学的情報読取装置は、その機能上、広い撮像範囲を有するため、密集した多数の情報コードの中から１つ情報コードを読み取る場合には、その撮像範囲を示すマーカ光を基準に目的の情報コードを撮像する必要がある。この場合、撮像範囲には照明光も照射されるため、照明光の照度によっては撮像範囲に照射されたマーカ光が見にくくなるという問題がある。このため、単に照明光を暗くすると、照明光の照度不足のために情報コードからの反射光の光量も低下してしまい、情報コードのデコード成功率が低下してしまうという問題がある。
【０００５】
本発明は、上述した課題を解決するためになされたものであり、その目的とするところは、照明光の照度不足を招くことなく撮像範囲の中心を示すマーカ光の視認性を高め得る光学的情報読取装置を提供することにある。
【課題を解決するための手段】
【０００６】
上記目的を達成するため、特許請求の範囲の請求項１に記載の発明は、照明光（Ｌｆ）を出射する照明光源（２１ａ）と、前記照明光源からの照明光を情報コード（Ｃ）に向けて照射する照明レンズ（６０）と、前記情報コードを撮像可能な受光センサ（２３）と、前記受光センサによる撮像範囲の中心（Ｐ）を示すためのマーカ光（Ｌｍ）を照射するマーカ光照射部（５０）と、を備え、前記照明レンズは、入射側に凹むように凹曲面状に形成される出射面（６２，６３）が前記撮像範囲のうちの周辺部（ＡＲ１）に前記照明光を照射可能な第１出射面部（６２ａ，６３ａ）と前記撮像範囲のうち前記周辺部よりも内側であって前記撮像範囲の中心を含めた中央部（ＡＲ２）に前記照明光を照射可能な第２出射面部（６２ｂ，６３ｂ）とから構成され、前記第２出射面部は、前記第１出射面部よりも曲率が大きくなるように形成されることを特徴とする。
【０００７】
請求項３の発明は、照明光（Ｌｆ）を出射する照明光源（２１ａ）と、前記照明光源からの照明光を情報コードに向けて照射する照明レンズ（７１）と、を有する照明光照射部と、前記情報コードを撮像可能な受光センサ（２３）と、前記受光センサによる撮像範囲の中心を示すためのマーカ光（Ｌｍ）を照射するマーカ光照射部（５０）と、を備え、前記照明レンズは、入射側に凹むように凹曲面状に形成される出射面（７３）が、前記撮像範囲のうちの周辺部（ＡＲ１）に前記照明光を照射可能な第１出射面部（７３ａ）と前記撮像範囲のうち前記周辺部よりも内側であって前記撮像範囲の中心を含めた中央部（ＡＲ２）に前記照明光を照射可能な第２出射面部（７３ｂ）とから構成され、前記照明光照射部は、前記出射面のうち前記第２出射面部の出射側にて前記照明光を遮光可能な遮光部（７４）を備えることを特徴とする。
なお、上記各括弧内の符号は、後述する実施形態に記載の具体的手段との対応関係を示すものである。
【発明の効果】
【０００８】
請求項１の発明では、照明光源からの照明光を情報コードに向けて照射する照明レンズが設けられており、この照明レンズは、入射側に凹むように凹曲面状に形成される出射面が、撮像範囲のうちの周辺部に照明光を照射可能な第１出射面部と撮像範囲のうち周辺部よりも内側であって撮像範囲の中心を含めた中央部に照明光を照射可能な第２出射面部とから構成される。そして、第２出射面部は、第１出射面部よりも曲率が大きくなるように形成される。
【０００９】
このため、第２出射面部から照明光として出射する光は、第１出射面部から照明光として出射する光よりも拡散するので、撮像範囲での中央部の照度は、撮像範囲での周辺部の照度よりも低くなる。これにより、撮像範囲の中央部ではマーカ光が見やすくなり、撮像範囲の周辺部ではデコードに必要な照度を確保しやすくなる。したがって、照明光の照度不足を招くことなく撮像範囲の中心を示すマーカ光の視認性を高めることができる。特に、マーカ光の視認性を維持しつつ、結像光学的に暗くなりやすい撮像範囲の周辺部に対して照度を高めた照明光を照射しやすくなるので、バーコードのように幅広い情報コードであってもそのデコード成功率を高めることができる。
【００１０】
請求項２の発明では、出射面は、第２出射面部から第１出射面部にかけて曲率が徐々に小さくなるように形成されるため、撮像範囲の中央部から周辺部にかけて照度が徐々に高くなるような照度分布となる。これにより、撮像範囲の中央部と周辺部との照度差を容易に大きくできるため、マーカ光の視認性を考慮しつつ、結像光学的に暗くなりやすい撮像範囲の周辺部に対してより照度を高めた照明光を照射しやすくなるので、情報コードのデコード成功率をさらに高めることができる。
【００１１】
請求項３の発明では、照明光源からの照明光を情報コードに向けて照射する照明レンズが設けられており、この照明レンズは、入射側に凹むように凹曲面状に形成される出射面が、撮像範囲のうちの周辺部に照明光を照射可能な第１出射面部と撮像範囲のうち周辺部よりも内側であって撮像範囲の中心を含めた中央部に照明光を照射可能な第２出射面部とから構成される。そして、照明光照射部は、出射面のうち第２出射面部の出射側にて照明光を遮光可能な遮光部を備える。
【００１２】
このため、第２出射面部から出射する光の少なくとも一部が遮光部により遮光されるので、撮像範囲での中央部の照度は、撮像範囲での周辺部の照度よりも低くなる。これにより、撮像範囲の中央部ではマーカ光が見やすくなり、撮像範囲の周辺部ではデコードに必要な照度を確保しやすくなる。したがって、照明光の照度不足を招くことなく撮像範囲の中心を示すマーカ光の視認性を高めることができる。特に、マーカ光の視認性を維持しつつ、結像光学的に暗くなりやすい撮像範囲の周辺部に対して照度を高めた照明光を照射しやすくなるので、バーコードのように幅広い情報コードであってもその情報コードのデコード成功率を高めることができる。
【００１３】
請求項４の発明では、マーカ光照射部は、光源がＬＥＤとして構成され、マーカ光は、撮像範囲の中心に対して十字形状となるように照射される。撮像範囲での中央部の照度は周辺部の照度よりも低くなっているので、レーザー等よりも照度が低いＬＥＤであっても、マーカ光の視認性を確保することができる。特に、マーカ光が撮像範囲の中心に対して十字形状となるように照射されるので、マーカ光の形状を利用して当該マーカ光の視認性を高めることができる。
【図面の簡単な説明】
【００１４】
【図１】第１実施形態に係る光学的情報読取装置の構成を概略的に示すブロック図である。
【図２】図１のマーカ光照射部の構成を概略的に示す説明図である。
【図３】図３（Ａ）は、絞り部の開口形状を説明する説明図であり、図３（Ｂ）は、図３（Ａ）の絞り部を透過したマーカ光について図２のＸ１−Ｘ１断面での形状を説明する説明図である。
【図４】第１実施形態における照明レンズから出射される照明光の状態を説明する説明図である。
【図５】図５（Ａ）は、第１実施形態において撮像範囲のうち中央部にマーカ光が照射された状態を示す説明図であり、図５（Ｂ）は、図４のＸ２−Ｘ２断面での照明光の照度分布を示す説明図である。
【図６】第１実施形態の変形例に係る光学的情報読取装置の要部を示す説明図であり、図６（Ａ）は、絞り部の開口形状を示し、図６（Ｂ）は、図６（Ａ）の絞り部を透過したマーカ光について図２のＸ１−Ｘ１に相当する断面での形状を示す。
【図７】図７（Ａ）は、第１実施形態の変形例において撮像範囲のうち中央部にマーカ光が照射された状態を示す説明図であり、図７（Ｂ）は、図７（Ａ）の照射状態において図４のＸ２−Ｘ２に相当する断面での照明光の照度分布を示す説明図である。
【図８】第２実施形態における照明レンズから出射される照明光の状態を説明する説明図である。
【図９】図９（Ａ）は、第２実施形態において撮像範囲のうち中央部にマーカ光が照射された状態を示す説明図であり、図９（Ｂ）は、図８のＸ３−Ｘ３断面での照明光の照度分布を示す説明図である。
【図１０】第３実施形態に係る光学的情報読取装置の要部を示す説明図である。
【発明を実施するための形態】
【００１５】
［第１実施形態］
以下、本発明の第１実施形態に係る光学的情報読取装置について、図面を参照して説明する。
本実施形態に係る光学的情報読取装置１０は、一次元コードや二次元コード等の情報コードを光学的に読み取る情報コードリーダとして構成されている。ここで、一次元コードとしては、例えば、ＪＡＮコード、ＥＡＮ、ＵＰＣ、ＩＴＦコード、ＣＯＤＥ３９、ＣＯＤＥ１２８、ＮＷ−７等からなるいわゆるバーコードが想定される。また、二次元コードとしては、例えば、ＱＲコード（登録商標）、データマトリックスコード、マキシコード、Ａｚｔｅｃコード等の方形状の情報コードが想定される。
【００１６】
この光学的情報読取装置１０は、図示しないケースの内部に回路部２０が収容されてなるものであり、回路部２０は、主に、照明光照射部２１、マーカ光照射部５０、受光センサ２３等の光学系と、メモリ３５、制御回路４０等のマイクロコンピュータ（以下「マイコン」という）系とを備えている。
【００１７】
光学系は、投光光学系と、受光光学系とに分かれている。投光光学系は、照明光照射部２１とマーカ光照射部５０とから構成されている。照明光照射部２１は、照明光Ｌｆを発光可能なＬＥＤ等の照明光源２１ａと、この照明光源２１ａの出射側に設けられる照明レンズ６０とから構成されている。なお、照明レンズ６０の詳細形状については後述する。
【００１８】
マーカ光照射部５０は、受光センサ２３の撮像範囲の中心を示すマーカ光Ｌｍを照射するように構成されるもので、図２に示すように、ＬＥＤからなるマーカ光源５１と、このマーカ光源５１の出射側に設けられる絞り部５２と、絞り部５２の開口５２ａを透過した光を集光してマーカ光Ｌｍとして照射するレンズ５３とを備えている。図３（Ａ）に示すように、開口５２ａは、断面円形状に形成されるため、図３（Ｂ）に示すように、マーカ光Ｌｍは、撮像範囲の中心Ｐに対して円形状となるように照射される。なお、図１では、情報コードＣが付された読取対象Ｒに向けて照明光Ｌｆおよびマーカ光Ｌｍを照射する例を概念的に示している。
【００１９】
受光光学系は、受光センサ２３、結像レンズ２５、反射鏡（図示略）などによって構成されている。受光センサ２３は、例えば、Ｃ−ＭＯＳやＣＣＤ等の固体撮像素子である受光素子を二次元に配列したエリアセンサとして構成されるものであり、受光した受光素子ごとに反射光Ｌｒの強度に応じた電気信号を出力するように構成されている。この受光センサ２３は、結像レンズ２５を介して入射する入射光を受光可能（撮像可能）にプリント配線板（図示略）に実装されている。
【００２０】
結像レンズ２５は、外部から読取口１３を介して入射する入射光を集光して受光センサ２３の受光面２３ａに像を結像可能な結像光学系として機能するものである。本実施形態では、照明光照射部２１から照射された照明光Ｌｆが情報コードにて反射した後、この反射光Ｌｒを結像レンズ２５で集光し、受光センサ２３の受光面２３ａにコード像を結像させている。
【００２１】
マイコン系は、増幅回路３１、Ａ／Ｄ変換回路３３、メモリ３５、アドレス発生回路３６、同期信号発生回路３８、制御回路４０、操作部４２、液晶表示器４３、ブザー４４、バイブレータ４５、発光部４６、通信インタフェース４８等から構成されている。このマイコン系は、その名の通り、マイコン（情報処理装置）として機能し得る制御回路４０およびメモリ３５を中心に構成されるもので、上述した光学系によって撮像された情報コードの画像信号をハードウェア的およびソフトウェア的に信号処理し得るものである。また制御回路４０は、当該光学的情報読取装置１０の全体システムに関する制御も行っている。
【００２２】
光学系の受光センサ２３から出力される画像信号（アナログ信号）は、増幅回路３１に入力されることで所定の増幅率で増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２３】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述したコード画像情報格納領域のほかに、制御回路４０が算術演算や論理演算等の各処理時に利用する作業領域や読取条件テーブルも確保可能に構成されている。またＲＯＭには、情報コードを光学的に読み取るための読取処理を実行可能な読取用プログラムや、照明光源２１ａ、受光センサ２３等の各ハードウェアを制御可能なシステムプログラム等が予め格納されている。
【００２４】
制御回路４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御回路４０は、受光センサ２３によって撮像されてメモリ３５に記憶される情報コードのコード画像について解読処理（デコード）を行うように機能する。また、制御回路４０は、内蔵された入出力インタフェースを介して種々の入出力装置（周辺装置）と接続可能に構成されており、本実施形態の場合、操作部４２、液晶表示器４３、ブザー４４、バイブレータ４５、発光部４６、通信インタフェース４８等が接続されている。
【００２５】
操作部４２は、複数のキーによって構成され、使用者のキー操作に応じて制御回路４０に対して操作信号を与える構成をなしており、制御回路４０は、操作部４２から操作信号を受けたとき、その操作信号に応じた動作を行うように構成されている。液晶表示器４３は、公知の液晶表示パネルによって構成されており、制御回路４０によって表示内容が制御されるようになっている。ブザー４４は、公知のブザーによって構成されており、制御回路４０からの動作信号に応じて所定の音を発生させるように構成されている。バイブレータ４５は、携帯機器に搭載される公知のバイブレータによって構成されており、制御回路４０からの駆動信号に応じて振動を発生させるように構成されている。発光部４６は、例えばＬＥＤであって、制御回路４０からの信号に応じて点灯するように構成されている。通信インタフェース４８は、外部（例えばホスト装置）との間でのデータ通信を行うためのインタフェースとして構成されており、制御回路４０と協働して通信処理を行う構成をなしている。
【００２６】
次に、照明レンズ６０の詳細形状および機能等について図４および図５を参照して詳述する。
図４に示すように、照明レンズ６０は、照明光源２１ａからの光を集光するために凸面状に形成される入射面６１と、入射側に凹むように凹曲面状に形成される出射面６２とを備えている。出射面６２は、受光センサ２３の撮像範囲のうちの周辺部（以下、周辺部ＡＲ１ともいう：図５（Ａ）参照）に対して円環状に照明光Ｌｆを照射可能な第１出射面部６２ａと、受光センサ２３の撮像範囲のうち周辺部ＡＲ１よりも内側であって撮像範囲の中心Ｐを含めた中央部（以下、中央部ＡＲ２ともいう：図５（Ａ）参照）に対して円状に照明光Ｌｆを照射可能な第２出射面部６２ｂとから構成されている。そして、第２出射面部６２ｂは、第１出射面部６２ａよりも曲率が大きくなるように形成されている。
【００２７】
このような構成により、図４に示すように、第２出射面部６２ｂから照明光Ｌｆとして出射する光は、第１出射面部６２ａから照明光Ｌｆとして出射する光よりも拡散しやすくなる。すなわち、第２出射面部６２ｂは、照明光Ｌｆを拡散するように機能し、第１出射面部６２ａは、照明光Ｌｆの拡散を抑制して照度低下を抑えるように機能する。このため、図５（Ｂ）に示すように、撮像範囲での中央部ＡＲ２の照度は、撮像範囲での周辺部ＡＲ１の照度よりも低くなる。そして、照度が低くなった撮像範囲の中央には、マーカ光Ｌｍが照射されることとなる（図５（Ａ）（Ｂ）の２点鎖線参照）。
【００２８】
これにより、撮像範囲の中央部ＡＲ２ではマーカ光Ｌｍが見やすくなり、撮像範囲の周辺部ＡＲ１ではデコードに必要な照度を確保しやすくなる。したがって、照明光Ｌｆの照度不足を招くことなく撮像範囲の中心Ｐを示すマーカ光Ｌｍの視認性を高めることができる。特に、マーカ光Ｌｍの視認性を維持しつつ、結像光学的に暗くなりやすい撮像範囲の周辺部ＡＲ１に対して照度を高めた照明光を照射しやすくなるので（図５（Ｂ）参照）、バーコードのように幅広い情報コードであってもその情報コードのデコード成功率を高めることができる。
【００２９】
さらに、撮像範囲での中央部ＡＲ２の照度は周辺部ＡＲ１の照度よりも低くなっているので、レーザー等よりも照度が低いＬＥＤをマーカ光源５１として採用しても、マーカ光Ｌｍの視認性を確保することができる。
【００３０】
なお、マーカ光照射部５０は、マーカ光Ｌｍを撮像範囲の中心Ｐに対して円形状にて照射するように構成されることに限らず、他の形状、例えば、十字形状にて照射するように構成されてもよい。この場合、図６（Ａ）に示す絞り部５２のように開口５２ｂが断面十字形状に形成されることで、図６（Ｂ）に示すように、マーカ光Ｌｍは、撮像範囲の中心Ｐに対して十字形状となるように照射される。
【００３１】
このように、マーカ光Ｌｍが撮像範囲の中心Ｐに対して十字形状となるように照射されることで、マーカ光Ｌｍの形状を利用して当該マーカ光Ｌｍの視認性をより高めることができる。
【００３２】
なお、マーカ光Ｌｍの照射形状が遠くの撮像範囲ほど大きくなるようにマーカ光照射部５０が形成されている場合には、遠方の撮像範囲では、図７（Ａ）（Ｂ）に示すように、中央部ＡＲ２だけでなく周辺部ＡＲ１にもマーカ光Ｌｍが照射されることとなる。
【００３３】
［第２実施形態］
次に、本発明の第２実施形態に係る光学的情報読取装置について、図８および図９を参照して説明する。
本第２実施形態では、照明レンズ６０に代えて出射面の形状が異なる照明レンズ６０ａを採用する点が、上記第１実施形態に係る光学的情報読取装置と主に異なる。したがって、第１実施形態の光学的情報読取装置と実質的に同一の構成部分には、同一符号を付し、その説明を省略する。
【００３４】
図８に示すように、照明レンズ６０ａは、その出射面６３が第２出射面部６３ｂから第１出射面部６３ａにかけて曲率が徐々に小さくなるように形成されている。なお、照明レンズ６０ａの入射面６１は、照明レンズ６０の入射面６１と同じ形状である。このため、図９に示すように、撮像範囲の中央部ＡＲ２から周辺部ＡＲ１にかけて照度が徐々に高くなるような照度分布となる。これにより、撮像範囲の中央部ＡＲ２と周辺部ＡＲ１との照度差を容易に大きくできるため、マーカ光Ｌｍの視認性を考慮しつつ、結像光学的に暗くなりやすい撮像範囲の周辺部ＡＲ１に対してより照度を高めた照明光Ｌｆを照射しやすくなるので、バーコードのように幅広い情報コードであってもその情報コードのデコード成功率をさらに高めることができる。
【００３５】
［第３実施形態］
次に、本発明の第３実施形態に係る光学的情報読取装置について、図１０を参照して説明する。
本第３実施形態では、照明光照射部２１に代えて照明光照射部７０を採用する点が、上記第１実施形態に係る光学的情報読取装置と主に異なる。したがって、第１実施形態の光学的情報読取装置と実質的に同一の構成部分には、同一符号を付し、その説明を省略する。
【００３６】
図１０に示すように、照明光照射部７０は、照明光源２１ａと、この照明光源２１ａの出射側に設けられる照明レンズ７１と、照明レンズ７１の出射側に設けられる遮光部７４とを備えている。照明レンズ７１は、投光光学系として一般的に使用される形状のレンズであって、凸面状に形成される入射面７２から入射した光を所定の照射範囲に対して拡散して照射するように形成されている。すなわち、照明レンズ７１の出射面７３は、照明レンズ６０の出射面６２と異なり、第１出射面部６２ａに相当する第１出射面部７３ａと第２出射面部６２ｂに相当する第２出射面部７３ｂとが上述したような異なる機能を有するように形成されていない。
【００３７】
遮光部７４は、光の透過を妨げる一般的な遮光性の部材により構成されており、照明レンズ７１に対して出射面７３のうち第２出射面部７３ｂの出射側に位置するように配置されている。遮光部７４は、第２出射面部７３ｂに応じて、照明レンズ７１側から見た形状が円形状となるように形成されている。
【００３８】
すなわち、図１０に示すように、照明レンズ７１の出射面７３について、撮像範囲のうちの周辺部ＡＲ１に照明光Ｌｆを照射可能な第１出射面部７３ａの出射側には遮光部７４が配置されず、撮像範囲のうち周辺部ＡＲ１よりも内側であって撮像範囲の中心Ｐを含めた中央部ＡＲ２に照明光Ｌｆを照射可能な第２出射面部７３ｂの出射側のみに光を遮光可能な遮光部７４が配置される。
【００３９】
このため、第２出射面部７３ｂから出射する光の少なくとも一部が遮光部７４により遮光されるので、撮像範囲での中央部ＡＲ２の照度は、撮像範囲での周辺部ＡＲ１の照度よりも低くなる。これにより、撮像範囲の中央部ＡＲ２ではマーカ光Ｌｍが見やすくなり、撮像範囲の周辺部ＡＲ１ではデコードに必要な照度を確保しやすくなる。したがって、照明光Ｌｆの照度不足を招くことなく撮像範囲の中心Ｐを示すマーカ光Ｌｍの視認性を高めることができる。特に、マーカ光Ｌｍの視認性を維持しつつ、結像光学的に暗くなりやすい撮像範囲の周辺部ＡＲ１に対して照度を高めた照明光Ｌｆを照射しやすくなるので、バーコードのように幅広い情報コードであってもその情報コードのデコード成功率を高めることができる。
【００４０】
なお、遮光部７４は、第２出射面部７３ｂの出射側に位置するように配置されることに限らず、入射面７２の入射側に配置されてもよい。この場合、遮光部７４は、入射面７２のうち上記中央部ＡＲ２に照明光Ｌｆを照射するための入射面部に入射する光を遮光する位置に配置される。このようにしても撮像範囲での中央部ＡＲ２の照度は、撮像範囲での周辺部ＡＲ１の照度よりも低くなるので、照明光Ｌｆの照度不足を招くことなく撮像範囲の中心Ｐを示すマーカ光Ｌｍの視認性を高めることができる。
【００４１】
なお、照明光Ｌｆの一部が遮光部７４により遮光される構成は、他の実施形態にも適用することができる。
【００４２】
［他の実施形態］
なお、本発明は上記各実施形態に限定されるものではなく、例えば、以下のように具体化してもよい。
（１）照明レンズ６０，７１は、入射面６１，７２から入射した光を、断面円形状の照明光Ｌｆとして出射面６２（６３），７３から照射するように形成されることに限らず、他の断面形状の照明光、例えば、断面楕円形状の照明光として出射面６２（６３），７３から照射するように形成されてもよい。
【００４３】
（２）本発明は、情報コードを光学的に読み取る機能に加えて他の機能、例えば、無線通信媒体と無線通信する無線通信機能等を兼備する情報読取装置に適用することができる。
【符号の説明】
【００４４】
１０…光学的情報読取装置
２１，７０…照明光照射部
２１ａ…照明光源
２３…受光センサ
５０…マーカ光照射部
６０，７１…照明レンズ
６２，６３，７３…出射面
６２ａ，６３ａ，７３ａ…第１出射面部
６２ｂ，６３ｂ，７３ｂ…第２出射面部
７４…遮光部
ＡＲ１…周辺部
ＡＲ２…中央部
Ｌｆ…照明光
Ｌｍ…マーカ光
Ｐ…撮像範囲の中心
【図１】
0006531572.tif 000002
【図２】
0006531572.tif 000003
【図３】
0006531572.tif 000004
【図４】
0006531572.tif 000005
【図５】
0006531572.tif 000006
【図６】
0006531572.tif 000007
【図７】
0006531572.tif 000008
【図８】
0006531572.tif 000009
【図９】
0006531572.tif 000010
【図１０】
0006531572.tif 000011